(57)【特許請求の範囲】
【請求項１】
２つ以上のラインカードを備える光ネットワークノードであって、各ラインカードは、単一波長光信号用のネットワーク側光受信器（１１）、第１の電気区間（Ｅ）、およびクライアント側光送信器（ＴＯＳＡ）を備える受信側光トランスポンダ区間と、単一波長光信号用ネットワーク側光送信器（２１）、第２の電気区間（Ｅ）、およびクライアント側光受信器（ＲＯＳＡ）を備える送信側光トランスポンダ区間とを備え、前記第１の電気区間は第１の中間電気出力（ＥＯ１）と第２の中間電気出力（ＥＯ２）を備え、前記第２の電気区間は第１の中間電気入力（ＥＩ１）と第２の中間電気入力（ＥＩ２）を備え、
前記第１の電気区間および第２の電気区間が各々の順方向誤り訂正プロセッサ（１５、２５）を備え、
前記第１の中間電気出力（ＥＯ１）が前記第１の電気区間の前記順方向誤り訂正プロセッサ（１５）と前記クライアント側光送信器（ＴＯＳＡ）の間に接続され、および前記第１の中間電気入力（ＥＩ１）が前記第２の電気区間の前記順方向誤り訂正プロセッサ（２５）と前記クライアント側光受信器（ＲＯＳＡ）の間に接続され、
前記第２の中間電気出力（ＥＯ２）が前記第１の電気区間の前記順方向誤り訂正プロセッサ（１５）と前記ネットワーク側光受信器（１１）の間に接続され、および前記第２の中間電気入力（ＥＩ２）が前記第２の電気区間の前記順方向誤り訂正プロセッサ（２５）と前記ネットワーク側光送信器（２１）の間に接続され、
前記光ネットワークノードはさらに、前記ラインカードの前記第１の中間電気出力（ＥＯ１）と前記第１の中間電気入力（ＥＩ１）とを制御可能に相互接続し、前記ラインカードの前記第２の中間電気出力（ＥＯ２）と前記第２の中間電気入力（ＥＩ２）とを制御可能に相互接続するための電気スイッチマトリクスを備える、光ネットワークノード。
【請求項２】
前記第１の中間電気出力（ＥＯ１）と前記第１の中間電気入力（ＥＩ１）との間と、前記第２の中間電気出力（ＥＯ２）と前記第２の中間電気入力（ＥＩ２）との間に前記電気スイッチマトリクスを通してバイパス接続を構成し、それぞれのラインカードのクライアント側光送信器（ＴＯＳＡ）およびクライアント側光受信器（ＲＯＳＡ）を非活動化するためのコントローラを備える、請求項１に記載の光ネットワークノード。
【請求項３】
受信した光信号の信号状態に応じて、前記コントローラが、前記第１の中間電気出力（ＥＯ１）の１つと前記第１の中間電気入力（ＥＩ１）の１つとの間のバイパス接続、または前記第２の中間電気出力（ＥＯ２）の１つと前記第２の中間電気入力（ＥＩ２）の１つとの間のバイパス接続のいずれかを活動化するように前記電気スイッチマトリクスを構成することによって再生器機能を実施するようになされた、請求項２に記載の光ネットワークノード。
【請求項４】
前記第２の中間電気出力（ＥＯ２）の１つと前記第２の中間電気入力（ＥＩ２）の１つとの間のバイパス接続が活動化された場合は、前記コントローラがそれぞれのラインカードの前記順方向誤り訂正プロセッサ（１５、２５）を非活動化するようになされた、請求項３に記載の光ネットワークノード。
【請求項５】
前記第１の中間電気出力（ＥＯ１）の１つと前記第１の中間電気入力（ＥＩ１）の１つとの間のバイパス接続、または前記第２の中間電気出力（ＥＯ２）の１つと前記第２の中間電気入力（ＥＩ２）の１つとの間のバイパス接続が活動化されたときは、前記コントローラが前記クライアント側光送信器（ＴＯＳＡ）または受信器（ＲＯＳＡ）を非活動化するようにさらになされた、請求項３に記載の光ネットワークノード。
【請求項６】
前記ラインカードの前記単一波長光信号用のネットワーク側光受信器（１１）および前記単一波長光信号用ネットワーク側光送信器（２１）と、リングネットワークのコネクタとの間に配置された第１の光スイッチマトリクスを備えた、請求項１に記載の光ネットワークノード。
【請求項７】
光信号用の光トランスポンダ（１０）であって、
単一波長光ライン信号を受信しそれを電気信号に変換するための少なくとも１つの光受信器（１１）と、前記電気信号を処理および／または再整形するための電気区間（Ｅ）と、電気信号を光出力信号に変換するための光送信器（ＴＯＳＡ）とを備え、前記電気区間が、第１の中間電気出力（ＥＯ１）と第２の中間電気出力（ＥＯ２）を備え、
前記電気区間が順方向誤り訂正プロセッサ（１５）を備え、前記第１の中間電気出力（ＥＯ１）が前記順方向誤り訂正プロセッサ（１５）と前記光送信器（ＴＯＳＡ）の間に接続され、前記第２の中間電気出力（ＥＯ２）が前記順方向誤り訂正プロセッサ（１５）と前記光受信器（１１）の間に接続され、
ネットワーク側光送信器（２１）、第２の電気区間（Ｅ）、およびクライアント側光受信器（ＲＯＳＡ）を備える送信側トランスポンダ区間をさらに備え、前記第２の電気区間が順方向誤り訂正プロセッサ（２５）を備え、
前記光トランスポンダがさらに、
前記第２の電気区間の前記順方向誤り訂正プロセッサ（２５）と前記クライアント側光受信器（ＲＯＳＡ）の間に接続された第１の中間電気入力（ＥＩ１）と、前記第２の電気区間の前記順方向誤り訂正プロセッサ（２５）と前記ネットワーク側光送信器（２１）の間に接続された第２の中間電気入力（ＥＩ２）をさらに備え、
前記第１の中間電気出力（ＥＯ１）と前記第１の中間電気入力（ＥＩ１）とを制御可能に相互接続し、前記第２の中間電気出力（ＥＯ２）と前記第２の中間電気入力（ＥＩ２）とを制御可能に相互接続するための電気スイッチマトリクスをさらに備える、
光信号用の光トランスポンダ。
【請求項８】
前記順方向誤り訂正プロセッサ（１５）および前記光送信器（ＴＯＳＡ）が選択的に非活動化可能である、請求項７に記載の光トランスポンダ。
【請求項９】
それぞれが光受信器、電気信号を処理および／または再整形するための電気区間（Ｅ）、ならびに光送信器を有する２つの光トランスポンダを用いて単一波長光信号を再生する方法であって、
ネットワーク側光受信器（１１）、第１の中間電気出力（ＥＯ１）と第２の中間電気出力（ＥＯ２）を有する第１の電気区間（Ｅ）、およびクライアント側光送信器（ＴＯＳＡ）を備える第１の光トランスポンダ（１０）にて前記単一波長光信号を受信するステップと、
前記第１の光トランスポンダ（１０）内で、前記光信号を電気信号に変換するステップと、
前記電気信号を前記第１の中間電気出力（ＥＯ１）と第２の中間電気出力（ＥＯ２）を通して第２の光トランスポンダ（１０）の第１の中間電気入力（ＥＩ１）と第２の中間電気入力（ＥＩ２）に迂回するステップであって、第２の光トランスポンダ（１０）はネットワーク側光送信器（２１）、前記中間電気入力を有する第２の電気区間（Ｅ）、およびクライアント側光受信器（ＲＯＳＡ）とを有する、ステップと、
前方送信のために前記第２の光トランスポンダにて前記電気信号を単一波長光信号に変換するステップと
を含み、
前記第１の電気区間および第２の電気区間が各々の順方向誤り訂正プロセッサ（１５、２５）を備え、
前記第１の中間電気出力（ＥＯ１）が前記第１の電気区間の前記順方向誤り訂正プロセッサ（１５）と前記クライアント側光送信器（ＴＯＳＡ）の間に接続され、および前記第１の中間電気入力（ＥＩ１）が前記第２の電気区間の前記順方向誤り訂正プロセッサ（２５）と前記クライアント側光受信器（ＲＯＳＡ）の間に接続され、
前記第２の中間電気出力（ＥＯ２）が前記第１の電気区間の前記順方向誤り訂正プロセッサ（１５）と前記ネットワーク側光受信器（１１）の間に接続され、および前記第２の中間電気入力（ＥＩ２）が前記第２の電気区間の前記順方向誤り訂正プロセッサ（２５）と前記ネットワーク側光送信器（２１）の間に接続され、
受信された光信号の信号状態に応じて、前記第１の中間電気出力（ＥＯ１）と前記第１の中間電気入力（ＥＩ１）を接続することにより第１のバイパスを構成するステップと、前記第２の中間電気出力（ＥＯ２）と前記第２の中間電気入力（ＥＩ２）を接続することにより前記第１および第２の光トランスポンダ内の順方向誤り訂正処理機能をさらに迂回する第２のバイパスを構成するステップとを選択するステップを含む、方法。
【発明の詳細な説明】
【技術分野】
【０００１】
本発明は通信の分野に関し、より詳細には光伝送ネットワーク用のトランスポンダおよび関連するネットワークノードに関する。
【背景技術】
【０００２】
通信では高速のコアネットワークは主に光伝送に依存している。データ信号は、異なる波長にて光キャリア上に変調し、同じファイバスパンを通して波長分割多重を用いて一緒に伝送することができる。長距離光伝送では、光信号を再生し歪みを除去するために、光伝送ラインに沿って光再生器が設けられる。さらにスパン当たりの最大伝送距離および受信器感度を向上させるために、順方向誤り訂正（Ｆｏｒｗａｒｄ  Ｅｒｒｏｒ  Ｃｏｒｒｅｃｔｉｏｎ：ＦＥＣ）処理を適用することができる。
【０００３】
光伝送ネットワークは、波長選択性スイッチ（ＷＳＳ）および再構成可能な光アド／ドロップマルチプレクサ（ｒｅｃｏｎｆｉｇｕｒａｂｌｅ  ｏｐｔｉｃａｌ  ａｄｄ／ｄｒｏｐ  ｍｕｌｔｉｐｌｅｘｅｒ：ＲＯＡＤＭ）の導入によって、古典的なポイントツーポイント伝送からますます光交換ネットワーク用途へと進化しており、したがって伝送距離は異なる波長チャネルでの信号に対して異なり得る。
【発明の概要】
【発明が解決しようとする課題】
【０００４】
トラフィック量および伝送速度が増え続ける状況において、これは第１近似ではムーアの法則に従う高速電子信号処理が必要であり、電力消費が制限要因となる。したがって本発明の目的は、低減された電力消費にて動作できる光伝送ネットワーク用のネットワーク機器を提供することである。本発明の一態様によればこれは、必要がないときに光ネットワーク内のＥ／Ｏ変換および信号処理を削減することによって達成される。したがって本発明はネットワークノード、およびこのようなネットワークノード用のトランスポンダを提供し、これは必要に応じて個々の光信号に対して柔軟にＯ／Ｅ／Ｏ変換および／または信号処理をイネーブルまたはディスエーブルすることを可能にする。
【課題を解決するための手段】
【０００５】
具体的には光信号用のトランスポンダは、光ライン信号を受信しそれを電気信号に変換するための少なくとも１つの光受信器と、電気信号を処理および／または整形するための電気区間と、電気信号を変換して光出力信号に戻すための光送信器とを含む。電気区間は、Ｅ／Ｏ変換の前に電気信号を構成可能に出力するための少なくとも１つの中間電気出力を含む。
【０００６】
このようなトランスポンダは光ネットワークノードのラインカードに用いることができる。ネットワークノードは２つ以上のこのようなラインカードを有する。各ラインカードは、ネットワーク側光受信器、第１の電気区間、およびクライアント側光送信器を有する受信側トランスポンダ区間と、ネットワーク側光送信器、第２の電気区間、およびクライアント側光受信器を有する送信側トランスポンダ区間とを含む。第１の電気区間は少なくとも１つの中間電気出力を有し、第２の電気区間は少なくとも１つの中間電気入力を有する。中間電気出力および入力は電気スイッチマトリクスに至り、電気スイッチマトリクスは中間電気出力および入力を制御可能に相互接続する。
【０００７】
ラインカード内のトランスポンダは、ラインカード内の順方向誤り訂正処理機能をさらに迂回する第２の中間電気出力および入力をさらに含むことができる。
【０００８】
光信号を再生する方法は、第１のトランスポンダにて前記光信号を受信するステップと、前記光信号を電気信号に変換するステップと、前記電気信号を第２のトランスポンダに迂回するステップと、前方送信のために前記電気信号を光信号に変換するステップとを有する。
【０００９】
方法は、受信した光信号の信号状態に応じて、第１のトランスポンダ内の電気−光変換および第２のトランスポンダ内の光−電気変換を迂回する第１のバイパスを構成するステップと、第１および第２のトランスポンダ内の順方向誤り訂正処理機能をさらに迂回する第２のバイパスを構成するステップとを選択するステップをさらに含むことができる。
【００１０】
次に本発明の好ましい実施形態について添付の図面を参照して説明する。
【図面の簡単な説明】
【００１１】
【図１】光伝送ネットワークのネットワークノード用のトランスポンダを示す図である。
【図２】Ｅ／Ｏ変換なしに信号再生を行うように第２の追加の電気出力を通して接続された信号再生を示す図である。
【図３】ＦＥＣ処理なしに信号再生を行うように第１の追加の電気出力を通して接続された２つのトランスポンダを示す図である。
【図４】光伝送ネットワーク用のネットワークノードを示す図である。
【発明を実施するための形態】
【００１２】
図１には光ネットワークノード用のトランスポンダ１０が示される。光トランスポンダは光信号を受信し次いで処理し、受信した波長とは異なり得る新しい波長で再送信する機器である。トランスポンダはたとえば光ネットワークノード内のラインカードの一部として用いることができる。
【００１３】
図１のトランスポンダまたはラインカード１０は双方向的に動作し、すなわち両方向にて信号を受信し送信する。図１の下側にはネットワーク側入力および出力ポートＮＩ、ＮＯがあり、上側には顧客側入力および出力ポートＣＩ、ＣＯがある。そのネットワーク側機能に関連して２つの独立のトランスポンダ方向は、受信器部分ＲＸおよび送信器部分ＴＸと呼ばれる。具体的には、図１の左側に示されるトランスポンダ１０の受信器部分ＲＸは、ＤＷＤＭ（高密度波長分割多重（ｄｅｎｓｅ  ｗａｖｅｌｅｎｇｔｈ  ｄｉｖｉｓｉｏｎ  ｍｕｌｔｉｐｌｅｘ））光受信器回路１１を含み、これは単一のＤＷＤＭ波長チャネルを受信し、受信した光信号を電気信号に変換する。電気信号はシリアルパラレル変換器１２に供給され、シリアルパラレル変換器１２はラインフレーマ１３に接続される。ラインフレーマの後にはＦＥＣ（順方向誤り訂正）プロセッサ１５があり、これはクライアントフレーマ１６に至り、クライアントフレーマ１６から信号はパラレルシリアル変換器１７を通じて、ＸＦＰ（１０ギガビットスモールフォームファクタプラガブル）トランシーバ２０の送信器機能ＴＯＳＡ（送信器光サブアセンブリ（ｔｒａｎｓｍｉｔｔｅｒ  ｏｐｔｉｃａｌ  ｓｕｂ−ａｓｓｅｍｂｌｙ））に接続される。コントローラ３０は、トランスポンダ１０の様々な機能ブロックを構成し制御し、トランスポンダ１０を収容するネットワークノードの上位コントローラと通信する。
【００１４】
図１の右側に示される送信方向ＴＸでは、顧客側入力ポートＣＩで受信された光クライアント信号は、ＸＦＰトランシーバ２０の受信器光サブアセンブリ（ｒｅｃｅｉｖｅｒ  ｏｐｔｉｃａｌ  ｓｕｂ−ａｓｓｅｍｂｌｙ）ＲＯＳＡによって電気信号に変換される。シリアルパラレル変換器２７はさらなる処理のために電気信号を並列フォーマットに変換する。次いで並列信号はクライアントフレーマ２６に供給され、クライアントフレーマ２６はＦＥＣプロセッサ２５に接続する。ＦＥＣプロセッサの後にはラインフレーマ２３およびパラレルシリアル変換器２２があり、これはＤＷＤＭ光送信器回路２１に接続する。
【００１５】
受信器部分ＲＸではラインフレーマ１３は終端し、受信した光信号の信号オーバヘッドを処理する。受信した信号はたとえば、ＯＴＮ標準（ＩＴＵ−Ｔ  Ｇ．７０９）に従うフレームフォーマットを有することができる。ＦＥＣプロセッサは受信した信号内のＦＥＣバイトを処理して、伝送時に生じた信号歪みによる受信した信号内の誤りを検出し訂正する。クライアントフレーマは、受信したライン信号内のペイロードとして運ばれるクライアント信号の信号ヘッダを処理する。クライアント信号フォーマットは、たとえばイーサネット（登録商標）フレームフォーマットとすることができる。
【００１６】
送信器部分ＴＸではクライアントフレーマは、クライアント信号フォーマットの信号ヘッダを処理する。ＦＥＣプロセッサ２５はＦＥＣバイトを計算して追加し、ラインフレーマ２２はクライアント信号フォーマットをライン信号フォーマットの信号フレーム、たとえばＯＴＮ規格に従うＯＴＵ２フレームにマップする。
【００１７】
トランスポンダはさらに受信器部分ＲＸ内に、ＸＦＰ２０のＴＯＳＡの前に接続された１×２スイッチ１８を含み、これは顧客側出力ＣＯにて光クライアント信号を出力する代わりに（またはそれに加えて）、電気出力ＥＯ１にて電気クライアント信号を出力することを可能にする。同様に送信器部分では、ＸＦＰ２０のＲＯＳＡの後に２×１スイッチ２８が設けられ、これは顧客側入力ＣＩにて光信号を供給する代わりに、電気入力ＥＩ１を通じて電気クライアントレイヤ信号を供給することを可能にする。
【００１８】
さらに受信器部分ＲＸではＦＥＣプロセッサ１５の前に、第２の１×２スイッチ１４が設けられ、これはＥ／Ｏ変換されたライン信号をＦＥＣ処理の前に電気信号出力ＥＯ２にて引き出すことを可能にする。送信器部分ＴＸでは第２の２×１スイッチ２４が設けられ、これは電気ライン信号をトランスポンダ１０に供給することを可能にする。
【００１９】
これらの第１の１×２および２×１スイッチ１８、２８は、トランスポンダ１０の顧客側Ｅ／ＯおよびＯ／Ｅ機能（この実施形態ではＸＦＰ）を迂回することを可能にする。第２の１×２および２×１スイッチ１４、２４はまた、信号歪みが小さいことによりＦＥＣ処理が不要となり得るときに、受信および送信側ＦＥＣプロセッサ１５、２５を迂回することを可能にする。スイッチ１４、２４、１８、２８はコントローラ３０の制御下で切り換えられる。さらにコントローラ３０は、迂回されたときにＦＥＣプロセッサ１５、２５および／または顧客側Ｅ／ＯおよびＯ／Ｅ機能を選択的に活動化および非活動化するように働く。
【００２０】
光再生器機能は、２つのトランスポンダを背中合わせに接続することによって実施することができる。したがって再生器は、従来型のトランスポンダを用いて、第１のラインカードの光クライアント側出力を、第２のラインカードまたは同じラインカードの光クライアント側入力に背中合わせに接続することによって実施できる。
【００２１】
本発明の実施形態は、使用されないときに機能および構成要素を迂回するために、ラインカード内にラインカード内の選択された場所に電気出力を追加し、迂回されたラインカード構成要素をスイッチオフする。背中合わせの再生を行うときにスイッチオフすることができるこのような構成要素は、クライアント側ＴＸ／ＲＸモジュール、たとえばＸＦＰ、ＦＥＣプロセッサである。したがってラインカードは２つの出力、すなわち光出力を形成する通常のクライアントポートと、ＦＥＣまたはクライアント側ＴＸ／ＲＸモジュールを迂回するために用いられる少なくとも１つの追加の電気出力とを有する。この第２の出力は動的な再生を可能にし、すなわち２つのラインカードの組み合わせを以前のような標準の再生デバイスとして、あるいはＦＥＣおよび／またはクライアント側ＴＸ／ＲＸモジュールが迂回されたときは低エネルギー再生デバイスとして用いることができる。
【００２２】
光ネットワークにおいて光経路が確立されたときは、その伝送品質（ｑｕａｌｉｔｙ  ｏｆ  ｔｒａｎｓｍｉｓｓｉｏｎ：ＱｏＴ）は所定の範囲内に留まるべきである。ＱｏＴが低過ぎると推定された場合は、信号のＱｏＴを改善するために光経路上に再生器を配置する必要がある。２つのラインカードポートを背中合わせに組み合わせて、「ＯＥＯ」（光−電気−光（ｏｐｔｏ−ｅｌｅｃｔｒｏ−ｏｐｔｏ））再生方式と呼ばれるものを実施することによって、再生を実施することができる。
【００２３】
一部の場合には再生後に信号を伝送する距離が信号のトランスペアレント距離（ｔｒａｎｓｐａｒｅｎｔ  ｒｅａｃｈ）より短く、したがって再生後に信号は目標より高いＱｏＴ値を有して宛先ノードに到着することになる。このような場合は上述のような「より軽い」再生処理が、完全なＯＥＯ再生を用いて得られるＱｏＴより低いが、閾値より高いＱｏＴ値を有して宛先ノードに到達することを可能にする。
【００２４】
図２は一実施形態を示し、ライン信号を再生するために２つのラインカードが用いられる。到来するライン信号ＬＳＩは第１のラインカードＬＣ１の受信側にて受信され、電気信号にＯ／Ｅ変換される。電気信号は信号内の誤りを訂正するためにＦＥＣ処理される。処理された信号は次いで１×２スイッチ１８’を通して引き出され、内部スイッチ式バックプレーン接続を通じて第２のラインカードＬＣ２の送信側に供給される。２×１スイッチ２８’は電気信号を送信機能のＦＥＣプロセッサ２５’に結合する。ＦＥＣ処理を行って新しいＦＥＣオーバヘッドを追加した後に、ライン信号はライン送信器２１’を通してＥ／Ｏ変換され、回復した光ライン信号ＬＳＯとしてネットワークに送り戻される。
【００２５】
図２から分かるようにラインカードＬＣ１、ＬＣ２のクライアント側光出力および入力を接続するのでなく、スイッチ１８’、２８’を通して迂回が行われ、これはクライアント側でのＥ／ＯおよびＯ／Ｅ変換を回避する。したがってラインカード内の電力消費を低減するためにクライアント側ＸＦＰは非活動化することができる。
【００２６】
図３には再生器構成の第２の実施形態が示される。ＦＥＣプロセッサ１５’、２５’を通過する代わりに、電気信号は１×２スイッチ１４’を通して引き出され、内部バックプレーン接続を通して第２のラインカードＬＣ２の送信側の２×１スイッチ２４’に供給される。スイッチ２４’は電気信号をラインカードＬＣ２のライン送信器２１’に結合し、そこでＥ／Ｏ変換され、回復したライン信号としてネットワークに送り戻される。
【００２７】
第２の実施形態ではスイッチ１４’、２４’は、ＦＥＣプロセッサ１５’、２５’も迂回するように働き、したがってこれらはさらに電力消費を低減するために非活動化することができる。この第２の構成は、光ライン信号がＯ／Ｅ／Ｏ変換による再生を必要とするが過大な歪みを受けておらず、したがってＦＥＣ処理はまだ必要でなく、伝送経路の下流側のネットワーク機器まで遅らせることができるときに選択することができる。
【００２８】
したがってどの信号バイパスが活動化されるかに応じてコントローラ３０は、ＸＦＰ２０のＥ／Ｏ／Ｅ機能を非活動化するか、またはそれに加えていずれの信号経路のＦＥＣプロセッサ１５、２５も非活動化する。
【００２９】
再生器構成は異なるラインカードの受信器および送信器区間を用いて実施することができるが、必ずしもそうである必要はないことを理解されたい。単一のラインカード上の受信器および送信器区間の電気入力および出力を短絡することも同様に可能である。
【００３０】
さらに図２および図３は簡略化された概略図であり分かり易くするために、クライアント側ＴＸ／ＲＸ、ネットワーク側ＴＸ／ＲＸ、ＯＥおよびＥＯ変換、ならびにＦＥＣなどのここで関心のある機能のみを表し、実際のラインカード上に存在し必要となり得る他の機能ブロックは省かれていることを理解されたい。
【００３１】
図４は光ネットワークノードＮＮを示し、これはこの実施形態では光アド／ドロップマルチプレクサである。ネットワークノード４０は、リングネットワークの各方向（Ｅａｓｔ側およびＷｅｓｔ側）の２つのファイバ用のコネクタ、具体的にはそれぞれファイバＥ＿ｉｎ、Ｗ＿ｉｎ、Ｅ＿ｏｕｔ、Ｗ＿ｏｕｔ用のＥａｓｔ側およびＷｅｓｔ側入力および出力を有する。４つのファイバＥ＿ｉｎ、Ｗ＿ｉｎ、Ｅ＿ｏｕｔ、Ｗ＿ｏｕｔは、複数の波長チャネルを有するＤＷＤＭ信号を伝達する。光スイッチマトリクスＷＳＳは、たとえば波長選択性スイッチに基づくもので、４つのファイバを相互接続し、リングへのおよびリングからの任意の波長チャネル上でのアドおよびドロップ信号用の複数のｎ個の支流入力および出力を形成し、入力リングファイバから出力リングファイバへの通過トラフィックをトランスペアレントに切り換える。リングインターフェースの出力側には光増幅器ＯＡ１、ＯＡ２が設けられる。
【００３２】
各支流入力および出力には、図１に示されるタイプのラインカードＬＣ１−ＬＣｎが備えられる。波長選択性スイッチＷＳＳは、Ｅａｓｔ側およびＷｅｓｔ側ファイバのいずれかへのまたはそれからの単一波長信号を追加（ａｄｄ）および削除（ｄｒｏｐ）する。ラインカードＬＣ１−ＬＣｎのそれぞれは、単一波長信号に対するネットワーク側光区間λと、電気信号処理および整形のための電気区間Ｅと、クライアント機器へのまたはクライアント機器からの短距離光インターフェースをもたらすクライアント側光区間Ｏとを有する。
【００３３】
さらなる柔軟性のために、クライアント側ファイバ端子とラインカードＬＣ１−ＬＣｎの間にオプションの光空間スイッチマトリクスＯＸを設けることができる。スイッチマトリクスＯＸは、たとえば光ＭＥＭＳ（微小電気機械システム）技術、すなわちマイクロミラー、アクチュエータなどの機械デバイスを埋め込む技術を用いて実施することができる。
【００３４】
ネットワークノードの光支流ポートに外部クライアントスイッチまたはルータＣＳが接続されているのが示される。このようなクライアントスイッチまたはルータは、ＷＤＭネットワークを通して運ばれるクライアント信号に対してレイヤ２またはレイヤ３スイッチ機能を行うことになる。典型的には、クライアント信号の波長は短距離光インターフェース用に用いられる１３００ｎｍ程度であり、一方ＷＤＭネットワーク上の波長は長距離伝送およびＤＷＤＭ多重化のために用いられる１５００ｎｍ程度である。
【００３５】
ラインカードＬＣ１−ＬＣｎはそれらの電気区間Ｅに、上述のような中間電気入力および出力を有する。これらの中間入力および出力はバックプレーンＢＰを通して、たとえばクロスポイントスイッチなどの電気空間スイッチマトリクスＥＸに接続される。スイッチマトリクスＥＸは、必要に応じて信号再生を実施するために任意のラインカードの間のバイパス接続を切り換えることを可能にする。さらに複数の電気入力ポートおよび出力ポートＥＩＯを設けることができ、それらを通じて電気信号をクライアントネットワーク機器との間で受信または送信することができる。当業者にはこの関連において、電気入力ポートおよび出力ポートＥＩＯを通して追加および削除された電気信号は、ネットワークに入る／ネットワークを出ることになるので信号歪みに無関係にＦＥＣ処理が必要になることが理解されよう。したがって電気的アド／ドロップトラフィックは、それぞれ図１の中間ポート２４に行くおよび中間ポート１４から来るのではなく、中間ポート２８に行くおよび中間ポート１８から来ることになる。
【００３６】
いずれのモードでの再生器構成の活動化および設定は、ネットワークの管理プレーンまたは制御プレーンに任されるべきである。バックプレーンスイッチＥＸは、それぞれが異なる省電力および信号到達距離に関連する、２種類の再生を可能にする。ＧＭＰＬＳプロトコル群などの制御プレーンプロトコルに基づいた制御プレーン信号方式は、ネットワークノードの構成をサポートすることができる。新しいＧＭＰＬＳフィールドまたはコマンドは、たとえば完全な再生か部分的な再生かおよび関連する到達距離などの、必要な再生のタイプを規定することができる。
【００３７】
ラインカードの電気区間はさらに、光ドメインにおける分散効果を補償するために線形等化器または判定帰還型等化器などの電気フィルタを含むことができる。また例としてコヒーレント受信器アーキテクチャを用いてもとのデータ信号を回復するためのサンプリング回路、ＡＤＣ、およびデジタル信号プロセッサを含むことができる。受信した光信号内の歪みの大きさに応じて、このような追加の整形または補償手段もまた上述のやり方で迂回することができる。
【００３８】
説明および図面は単に本発明の原理を示すものである。したがって当業者には、本明細書では明示的に述べられないまたは示されないが本発明の原理を具現化し、その趣旨および範囲に含まれる様々な構成を考案できることが理解されよう。さらに本明細書に記載されたすべての実施例は、主として本発明の原理、および当技術分野を発展させるための発明者らの寄与による概念の理解において読者を補助するための教育的な目的のために過ぎず、このような具体的に記載された実施例および条件には限定されないものと解釈されるべきであることが明示的に意図される。さらに本明細書において、本発明の原理、態様、および実施形態を記載したすべての文、およびそれらの特定の例は、その均等物を包含するものである。
【００３９】
図に示される様々な要素の機能は、専用のハードウェア、および適当なソフトウェアに関連してソフトウェアを実行することができるハードウェアを用いることによって実現することができる。プロセッサによって実現されると、機能は、単一の専用プロセッサ、単一の共有されたプロセッサ、その一部を共有することができる複数の個別のプロセッサによって実現することができる。さらに「プロセッサ」または「コントローラ」という用語の明示的な使用は、ソフトウェアを実行することができるハードウェアを排他的に指すと解釈されるべきではなく、非限定的に、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するためのリードオンリメモリ（ＲＯＭ）、ランダムアクセスメモリ（ＲＡＭ）、および不揮発性記憶装置を暗黙に含むことができる。従来型および／またはカスタムの他のハードウェアも含むことができる。同様に、図に示されるいずれのスイッチも概念的であるに過ぎない。それらの機能は、プログラムロジックの動作を通して、専用ロジックを通して、プログラム制御と専用ロジックの相互作用を通して、さらには手動で行うことができ、特定の技術は状況から、より具体的に理解されるように実施者によって選択することができる。
【図１】
0005785269.tif 000002
【図２】
0005785269.tif 000003
【図３】
0005785269.tif 000004
【図４】
0005785269.tif 000005